(57)【要約】      （修正有）【課題】フィッシング中にルアーなどの釣り用の仕掛けを操作しても、フック部が容易に外れることを防止することが可能な釣り用スナップを提供する。【解決手段】スナップ１０は、ラインが止着される環状の上環状部１１と、ルアーに設けられたラインアイレットに挿通係合される環状の下環状部１２と、線材３１において下環状部１２側の端部３２に設けられ、上環状部１１に離脱可能に係合するフック部１３と、を備えており、下環状部１２において、フック部１３から下環状部１２上の予め定められた位置に至る第２湾曲部が外向きに湾曲した形状に形成されている。【選択図】図１
2020039310.tif 000002
【特許請求の範囲】
【請求項１】
弾性を有する線材を屈曲させて形成された釣り用スナップであって、
釣り糸が止着される環状の第１環状部と、
釣り用の仕掛けに設けられた連結環に挿通係合される環状の第２環状部と、
前記線材において前記第２環状部側の端部に設けられ、前記第１環状部に離脱可能に係合するフック部と、を備え、
前記第２環状部において、前記フック部から前記第２環状部上の予め定められた特定位置に至る特定部位が外向きに湾曲した形状に形成されていることを特徴とする釣り用スナップ。
【請求項２】
前記フック部は、前記第１環状部の内側を挿通して前記第２環状部へ向けて屈曲して形成されている、請求項１に記載の釣り用スナップ。
【請求項３】
前記第１環状部は、
釣り糸が止着される止着部から前記フック部が係合される被係合部に至る第１辺部と、
前記被係合部から延出して前記第１環状部と前記第２環状部とを仕切り分ける第２辺部と、を有し、
前記第１辺部と前記第２辺部とのなす角が鋭角である、請求項１又は２に記載の釣り用スナップ。
【請求項４】
前記特定部位は、前記第２環状部において前記第２辺部を除く部位である、請求項３に記載の釣り用スナップ。
【請求項５】
前記特定部位は、前記第２環状部の内側を中心とする円弧形状に形成されている、請求項１から４のいずれかに記載の釣り用スナップ。
【請求項６】
前記仕掛けはルアーであり、前記連結環は前記ルアーのラインアイレットである、請求項１から５のいずれかに記載の釣り用スナップ。
【発明の詳細な説明】
【技術分野】
【０００１】
本発明は、弾性を有する線材を屈曲させて形成された釣り用スナップに関する。
【背景技術】
【０００２】
従来、魚釣りにおいて、ルアーと称される疑似餌を用いてターゲットとなる対象魚を釣る所謂ルアーフィッシングが広く知られている。ルアーフィシングにおいては、アングラーは、ルアーをキャストし、ロッドを操作して、ベイトである魚や虫の動きに似るようにアクションを加えながらルアーをリトリーブする。これにより、対象魚のバイトを誘う。
【０００３】
ルアーフィッシングに使用されるルアーには様々な形態のものが存在しているが、いずれのルアーであっても、リーダーなどのラインを連結するためのラインアイレット（一般にラインアイと略称されている。）を備えている。ルアーは、ラインをラインアイレットに直結して使用される場合と、釣り用スナップを介してラインとラインアイレットとを連結して使用される場合とがある。ラインの連結方法は、ルアーのサイズや大きさ、重量などの要素や、ルアーのタイプ、或いは対象魚などに応じて適宜選択されるものであるが、例えば、オフショアなどで用いられる１００ｇを超えるメタルジグや、サイズが大きく重量も重い所謂ビックベイトと称されるルアーなどを用いる場合は、釣り用スナップが使用されるケースが多い。また、ルアーのサイズに関係無く、フィールドの状況によっては素早くルアーを交換する必要があるため、このような場合にも、素早いルアー交換が可能なように釣り用スナップが使用されるケースがある。
【０００４】
ルアーに用いられる上述した釣り用スナップの一例として、特許文献１に記載のスナップが公知である。この従来のスナップは、一本の鋼線を屈曲させて形成したものであり、鋼線の端部に設けられたフック部が上方環状部の屈曲部に外向きに係合する構造を有する。当該スナップにおいて、フック部による係合を解除する場合は、フック部をスナップの内側へ向けて押圧して鋼線の弾性に抗して鋼線を内側へ撓ませることにより、フック部を係合位置から解除位置へ変位させる。
【先行技術文献】
【特許文献】
【０００５】
【特許文献１】特開２００３−９９１５号公報
【発明の概要】
【発明が解決しようとする課題】
【０００６】
しかしながら、前掲した従来のスナップは、ラインアイレットに挿通される下方環状部において、フック部から下方環状部の下方へ向けて延びるストレート部を有するため、ルアーフィッシング中にスナップのフック部が外れるおそれがある。
【０００７】
具体的には、図７に示すように、ルアー１１０のリトリーブ中に、スナップ１００のフック部１０３から下方環状部１０２の湾曲部１０４に至るストレート部１０５がラインアイレット１１１の内孔に配置された状態になった場合に、ルアー１１０にアクションを加えるためにロッド及びライン１１５が操作されて、スナップ１００の上方環状部１０１に矢印Ｄ１１の方向の力Ｆ１１が加えられると、梃子の原理によって、ラインアイレット１１１からストレート部１０５に、矢印Ｄ１１とは反対の矢印Ｄ１２の方向の力Ｆ１２が作用する。この力Ｆ１２が作用する矢印Ｄ１２の方向は、フック部１０３の係合を解除するときにフック部１０３が押圧される方向と一致する。そのため、力Ｆ１２がフック部１０３の係合力を超えると、フック部１０３の係合が解除されることになる。
【０００８】
このように、スナップのフック部の係合が解除されるフックハズレ現象は、重量のあるメタルジグやビックベイトなどのルアーにアクションを加える場合のみならず、ルアーにバイトした直後の合わせ時や、根がかりしたルアーを引き揚げるときにも生じ得る。また、前記フックハズレ現象は、ルアーを用いたルアーフィッシングのみならず、スナップを連結することが可能なアイレットなどの連結環を有する釣り用仕掛けを用いたフィッシング中にも生じ得る。
【０００９】
本発明の目的は、フィッシング中にルアーなどの釣り用の仕掛けを操作しても、フック部が容易に外れることを防止することが可能な釣り用スナップを提供することにある。
【課題を解決するための手段】
【００１０】
(1)  本発明の一の局面に係る釣り用スナップは、弾性を有する線材を屈曲させて形成された釣り用スナップであって、釣り糸が止着される環状の第１環状部と、釣り用の仕掛けに設けられた連結環に挿通係合される環状の第２環状部と、前記線材において前記第２環状部側の端部に設けられ、前記第１環状部に離脱可能に係合するフック部と、を備える。この釣り用スナップは、前記第２環状部において、前記フック部から前記第２環状部上の予め定められた特定位置に至る特定部位が外向きに湾曲した形状に形成されていることを特徴とする。
【００１１】
このように、本発明の釣り用スナップは、前記フック部から延びるストレート部を有しておらず、前記フック部から前記第２環状部上の予め定められた特定位置に至る特定部位が外向きに湾曲した形状に形成されているため、前記特定部位が前記連結環に挿通された状態で第１環状部に例えば横方向の力が加えられても、前記特定部位と前記連結環とが抉ることなく、前記特定部位が前記連結環の内孔をスムーズに移動する。これにより、フィッシング中にアングラーがルアーなどの釣り用の仕掛けを操作しても、前記フック部の係合が容易に外れることを防止できる。
【００１２】
(2)  前記フック部は、前記第１環状部の内側を挿通して前記第２環状部へ向けて屈曲して形成されている。
【００１３】
これにより、例えば、前記フック部に横方向の力が加えられても、前記フック部のフッキング方向と前記力の方向とが異なるため、前記フック部が容易に外れることを防止できる。また、前記フッキング方向は、フィッシング中に釣り糸と仕掛けとの間に荷重がかかったときの荷重の方向と一致するため、フィッシング中において前記フック部が確実に強固に被係合部に係合される。
【００１４】
(3)  前記第１環状部は、釣り糸が止着される止着部から前記フック部が係合される被係合部に至る第１辺部と、前記被係合部から延出して前記第１環状部と前記第２環状部とを仕切り分ける第２辺部と、を有する。この場合、前記第１辺部と前記第２辺部とのなす角が鋭角であることが好ましい。
【００１５】
これにより、フィッシング中において、前記フック部による係合位置が前記被係合部からずれることを防止できる。
【００１６】
(4)  前記特定部位は、前記第２環状部において前記第２辺部を除く部位であることが好ましい。
【００１７】
これにより、前記第２環状部の湾曲部の全域において、前記連結環の内孔をスムーズに移動することができ、その結果、フィッシング中に前記フック部の係合が外れることをより一層防止することができる。
【００１８】
(5)  なお、前記仕掛けはルアーであり、前記連結環は前記ルアーのラインアイレットであることが好ましい。
【発明の効果】
【００１９】
本発明によれば、フィッシング中にルアーなどの仕掛けを操作しても、フック部が容易に外れることを防止することが可能である。
【図面の簡単な説明】
【００２０】
【図１】図１は、本発明の実施形態に係る釣り用スナップの正面側の外観を示す正面斜視図である。
【図２】図２は、本発明の実施形態に係る釣り用スナップの背面側の外観を示す背面斜視図である。
【図３】図３は、本発明の実施形態に係る釣り用スナップの正面図であり、フック部が係合された係合状態が示されている。
【図４】図４は、本発明の実施形態に係る釣り用スナップの正面図であり、フック部の係合が解除された係合解除状態が示されている。
【図５】図５（Ａ）〜（Ｄ）は、本発明の実施形態に係る釣り用スナップの動作及び効果を説明するための模式図である。
【図６】図６（Ａ）〜（Ｅ）は、本発明の実施形態に係る釣り用スナップの変形例を示す図である。
【図７】図７は、従来のスナップによるフック部のハズレ現象を説明するための模式図である。
【発明を実施するための形態】
【００２１】
以下、適宜図面を参照して本発明の実施形態について説明する。なお、以下に説明される実施形態は本発明を具体化した一例にすぎず、本発明の技術的範囲を限定するものではない。
【００２２】
図１及び図２は、本発明の実施形態に係る釣り用スナップ１０（以下「スナップ１０」と略称する。）の外観を示す斜視図であり、図１は正面側の外観を示し、図２は背面側の外観を示す。ここで、図１及び図２中のスナップ１０の表面に現れる細線は稜線である。また、以下の説明では、図７に示す従来のスナップ１００の説明に用いた構成と同じ構成については、共通の符号を用いて説明する。
【００２３】
スナップ１０は、釣り用の仕掛けに設けられた連結環に連結される釣具である。例えば、スナップ１０は、バスフィッシングやソルトルアーフィッシングなどのルアーフィッシングにおいて、ルアー１１０（釣り用仕掛けの一例）のラインアイレット１１１（連結環の一例）に連結される。スナップ１０の使用時は、ロッドから引き出されたリーダーなどのライン１１５（釣り糸の一例）がスナップ１０におけるロッド側の端部に止着されており、スナップ１０の他方端側がラインアイレット１１１に挿通した状態で係合しており、これにより、スナップ１０を介してライン１１５とラインアイレット１１１とが連結される。
【００２４】
図１及び図２に示すように、スナップ１０は、弾性（バネ性）を有する線材３１を屈曲させて形成されたものである。線材３１は、例えば、ピアノ線、硬鋼線、日本工業規格（ＪＩＳ  Ｇ  ４３０８）に定められるステンレス鋼線材である。もちろん、ルアーフィッシングに要求される強度を備えるものであれば、線材３１は、鋼製のものに限られず、強度、剛性、硬度に優れており、耐腐食性の高いポリアセタールやポリカーボネートなどの合成樹脂で構成された樹脂製の線材を用いることも可能である。線材３１の外径は、材質に応じて決定される要素であるが、後述のフック部１３の係合時に求められるフッキング力によっても決定される要素であり、前記材質や前記フッキング力などに応じて適宜設定される。
【００２５】
スナップ１０は、大別すると、ライン１１５が止着される止着部２１を有する上環状部１１（本発明の第１環状部の一例）と、ルアー１１０のラインアイレット１１１に挿通して係合される下環状部１２（本発明の第２環状部の一例）とを有する。ここで、図１及び図２においては、紙面の上下方向において、上環状部１１が上側に、下環状部１２が下側に配置された状態が示されている。下環状部１２は、一本の線材３１の一方側の部位３１Ａが折り曲げ加工されることによって形成されており、下向きにフッキング力が生じる弾性を有するように形成されている。上環状部１１は、線材３１の他方側の部位３１Ｂが折り曲げ加工により塑性変形されることによって形成される。
【００２６】
線材３１の一方側の端部３２にフック部１３が形成されている。言い換えると、フック部１３は、線材３１において下環状部１２側の端部３２に形成されている。フック部１３は、上環状部１１に離脱可能に係合することが可能なように形成されている。詳細には、フック部１３は、線材３１の一方側の端部３２を概ね１８０°に折り返すように折り曲げ加工して塑性変形させることにより、フック形状に形成される。このフック部１３が上環状部１１の被係合部２２に引っ掛けられることにより、フック部１３と上環状部１１とが係合する。これにより、下環状部１２が閉塞される。一方、フック部１３が上環状部１１の被係合部２２から取り外されて、フック部１３が上環状部１１から離脱することにより、フック部１３と上環状部１１との係合が解除される（図４参照）。
【００２７】
なお、フック部１３と被係合部２２との係合が解除された状態で、フック部１３がラインアイレット１１１に挿通されることにより、下環状部１２にラインアイレット１１１が仮連結される。そして、その後、フック部１３が被係合部２２に係合されることにより、下環状部１２とラインアイレット１１１とが強固に連結される。
【００２８】
フック部１３は、上環状部１１の内側に形成される開口部を挿通された場合に、その先端が下環状部１２へ向かうように屈曲した形状に形成されている。詳細には、フック部１３は、被係合部２２に係合された状態で、フック部１３が被係合部２２よりも外側（図１において左側）へ向いておらず、図１の紙面において手前側（開口部を貫く方向）に屈曲している。このため、フック部１３が被係合部２２に係合したときのフッキング方向Ｄ１は、下向きとなる。この点において、本実施形態のスナップ１０は、図７に示す従来のスナップ１００の構成、つまり、フック部１０３が上方環状部の屈曲部に係合した状態で前記屈曲部よりも外側へ屈曲し、且つ外側へ突出する構成とは異なる。
【００２９】
本実施形態のスナップ１０は、ロッドから引き出されたライン１１５が止着部２１に止着され、下環状部１２がルアー１１０のラインアイレット１１１に挿通して連結した状態で使用される。このため、ルアーフィッシング中においてライン１１５とルアー１１０との間に荷重がかかると、その荷重の方向は、図１及び２における上下方向に一致する。即ち、上述のフッキング方向Ｄ１は、ルアーフィッシング中にライン１１５とルアー１１０との間にかかる荷重の方向に一致する。
【００３０】
図３及び図４は、スナップ１０の正面図であり、図３には、フック部１３が被係合部２２に係合された係合状態が示されており、図４には、フック部１３と被係合部２２との係合が解除された係合解除状態が示されている。上述したように、フック部１３のフッキング方向Ｄ１が下向きであるため、スナップ１０において、ユーザーは、下環状部１２の下端部（後述の第２湾曲部５４Ｂの下端部）をフッキング方向Ｄ１とは反対の上方へ押し上げてフック部１３を被係合部２２よりも上方へ変位させることによって、フック部１３と被係合部２２との係合を解除することができる。
【００３１】
図３に示すように、上環状部１１は、線材３１の他方側（上環状部１１側）の端部３３を起点として３度屈曲されることにより、正面視で三角形状に形成されている。上環状部１１は、三角形状を成す３つの辺部５１〜５３を有する。
【００３２】
端部３３から一つめの屈曲部３５Ａは略９０°に屈曲されている。ここで、略９０°は、±１０°の許容範囲（許容値）を含むものとする。屈曲部３５Ａから斜め下方へ向けて直線状に辺部５１が延出しており、この辺部５１は、端部３３から二つめの屈曲部３５Ｂまで延出している。屈曲部３５Ｂは、フック部１３が引っ掛けられる被係合部２２である。言い換えると、辺部５１は、被係合部２２から屈曲部３５Ｂへ向けて延出しており、線材３１において、被係合部２２から屈曲部３５Ｂに至る部位である。辺部５１は、上環状部１１と下環状部１２とを仕切り分ける部位でもあり、スナップ１０において、辺部５１よりも上側が上環状部１１であり、辺部５１の下側が下環状部１２である。なお、辺部５１は、本発明の第２辺部の一例である。
【００３３】
屈曲部３５Ｂから上環状部１１の上側の頂部へ向かうように斜め上方へ向けて直線状に辺部５２が延出しており、この辺部５２は、端部３３から三つめの屈曲部３５Ｃまで延出している。この屈曲部３５Ｃは、ライン１１５が止着される止着部２１である。言い換えると、辺部５２は、止着部２１から被係合部２２へ向けて延出しており、線材３１において、止着部２１から被係合部２２に至る部位である。なお、辺部５２は、本発明の第１辺部の一例である。
【００３４】
また、屈曲部３５Ｃから斜め下方へ向けて直線状に辺部５３が延出しており、この辺部５３は、屈曲部３５Ａへ向かって延出している。
【００３５】
屈曲部３５Ａから端部３３に至る部位５０は、辺部５３に沿って止着部２１側へ延びており、正面視で辺部５３と重なるように配置されている。この部位５０は、辺部５３と接触している。なお、部位５０は、辺部５３に溶着などによって接合されていてもよい。
【００３６】
上環状部１１において、屈曲部３５Ｂは、その屈曲内側の屈曲角θ１（辺部５１と辺部５２とが成す角）が鋭角となるように屈曲されている。具体的には、屈曲角θ１は、０°＜θ１＜９０°の範囲内で定められた角度であり、より好ましくは、３０°＜θ１＜６０°の範囲内で定められた角度である。本実施形態では、屈曲角θ１は、略４０°である。ここで、略４０°は、±１０°の許容範囲（許容値）を含むものとする。
【００３７】
また、辺部５１は、後述の水平線Ｌ２との成す傾斜角θ２が鋭角となるように延出している。具体的には、傾斜角θ２は、０°＜θ２＜９０°の範囲内で定められた角度であり、より好ましくは、３０°＜θ２＜６０°の範囲内で定められた角度である。本実施形態では、傾斜角θ２は、略４０°である。ここで、略４０°は、±１０°の許容範囲（許容値）を含むものとする。
【００３８】
上環状部１１において、屈曲部３５Ｃは、その屈曲内側の屈曲角θ３（辺部５２と辺部５３とが成す角）が鋭角となるように屈曲されている。具体的には、屈曲角θ３は、０°＜θ３＜９０°の範囲内で定められた角度であり、より好ましくは、３０°＜θ３＜６０°の範囲内で定められた角度である。本実施形態では、屈曲角θ３は、略５０°である。ここで、略５０°は、±１０°の許容範囲（許容値）を含むものとする。
【００３９】
図３に示すように、下環状部１２は、辺部５３から連続する湾曲線部５４を有する。湾曲線部５４は、辺部５３における屈曲部３５Ａ付近の部位５３Ａからフック部１３に至る部位であり、外向きに湾曲した形状に形成されている。湾曲線部５４と辺部５１とによって、下環状部１２が形成される。湾曲線部５４は、部位５３Ａから一定の曲率で湾曲する第１湾曲部５４Ａと、第１湾曲部５４Ａに連続し、前記曲率よりも大きい一定の曲率で湾曲する第２湾曲部５４Ｂとからなる。
【００４０】
第２湾曲部５４Ｂは、下環状部１２の内側の開口部に定められた基準点Ｏを中心とする円弧形状に形成されている。具体的には、屈曲部３５Ｃを通り屈曲角θ３を二等分する二等分線Ｌ１上に基準点Ｏが定められており、第２湾曲部５４Ｂは、その基準点Ｏを中心とする半径Ｒ１の円Ｃ１の円弧に沿った形状に形成されている。本実施形態では、第２湾曲部５４Ｂは、前記基準点Ｏを中心とする半径Ｒ１の円Ｃ１の下半分の半円の円弧形状に形成されている。
【００４１】
第１湾曲部５４Ａは、部位５３Ａから下方へ緩く湾曲しつつ延出しており、前記基準点Ｏを通る水平線Ｌ２と前記円Ｃ１とが交差する位置Ｐ１に達している。下環状部１２における前記位置Ｐ１において、第１湾曲部５４Ａは第２湾曲部５４Ｂに滑らかに連続している。なお、前記位置Ｐ１が本発明の特定位置の一例であり、前記位置Ｐ１からフック部１３に至る部位である第２湾曲部５４Ｂが本発明の特定部位の一例である。
【００４２】
なお、図７に示す従来のスナップ１００がフック部１０３から延びるストレート部１０５を有しているのに対して、本実施形態のスナップ１０は、ストレート部１０５に相当する部位を有していない点で、従来のスナップ１００とは構成を異にする。
【００４３】
以下、図５を参照して、上環状部１１の止着部２１のライン１１５が止着され、下環状部１２がルアー１１０のラインアイレット１１１に連結されたときのスナップ１０の動作について説明する。
【００４４】
例えば、ルアーフィッシング中に、図５（Ａ）に示すように、下環状部１２の第２湾曲部５４Ｂがラインアイレット１１１の内孔に配置された状態で、スナップ１００の上環状部１１に矢印Ｄ２の方向の力Ｆ１が作用した場合を想定する。この場合、第２湾曲部５４Ｂは、フック部１３から前記位置Ｐ１に至る部分が連続した湾曲形状であるため、第２湾曲部５４Ｂはラインアイレット１１１に対して抉ることなく、前記力Ｆ１の作用によって、ラインアイレット１１１の内孔を矢印Ｄ３の方向にスムーズに移動する。言い換えると、ラインアイレット１１１は、第２湾曲部５４Ｂに沿ってフック部１３に近づく方向へ相対的に移動する。
【００４５】
その後、ラインアイレット１１１の相対移動によってラインアイレット１１１がフック部１３或いは辺部５１に当接すると、前記力Ｆ１は、第２湾曲部５４Ｂを中心に矢印Ｄ４の方向へスナップ１０を回動させるように作用する（図５（Ｂ）参照）。これにより、図５（Ｃ）に示すように、スナップ１０が反転する。その後、更に力Ｆ１が上環状部１１に作用することにより、第２湾曲部５４Ｂはラインアイレット１１１の内孔を矢印Ｄ５の方向にスムーズに移動する。言い換えると、ラインアイレット１１１は、第２湾曲部５４Ｂに沿ってフック部１３から離れる方向へ相対的に移動する（図５（Ｄ）参照）。
【００４６】
以上説明したように、本実施形態に係るスナップ１０は、ライン１１５が止着される環状の上環状部１１と、ルアー１１０に設けられたラインアイレット１１１に挿通係合される環状の下環状部１２と、線材３１において下環状部１２側の端部３２に設けられ、上環状部１１に離脱可能に係合するフック部１３と、を備えており、下環状部１２において、フック部１３から下環状部１２上の予め定められた位置Ｐ１に至る第２湾曲部５４Ｂが外向きに湾曲した形状に形成されている。つまり、スナップ１０には、従来のスナップ１００が備えるストレート部１０５を有していない。このため、第２湾曲部５４Ｂがラインアイレット１１１に挿通された状態で上環状部１１に例えば横方向の力Ｆ１が加えられても、第２湾曲部５４Ｂとラインアイレット１１１とが抉ることなく、第２湾曲部５４Ｂがラインアイレット１１１の内孔をスムーズに移動する。これにより、ルアーフィッシング中にアングラーがルアー１１０を操作しても、フック部１３の係合が容易に外れることを防止できる。
【００４７】
なお、図７に示す従来のスナップ１００は、ルアーフィッシング中にフック部１０３が外れるおそれがあるため、フックハズレを防ぐために、線材の外径を大きくせざるをえず、そのため、フック部１０３の係合の解除を手作業ですることが困難であった。しかし、本実施形態のスナップ１０は、フックハズレが生じ難いため、ルアーフィッシングに要求される強度を保持できる範囲内で、線材３１の外径を従来のスナップ１００に比べて小さくできる。つまり、線材３１を細くすることができる。その結果、スナップ１０の大きさを小さくすることができる。これにより、プライヤーなどを用いることなく、フック部１０３の係合を手作業で容易に解除することができる。また、スナップ１０を小型化できるため、対象魚の注意をスナップ１０からルアー１１０に向けることができ、その結果、ルアーフィッシングにおいて高い釣果を上げることができる。
【００４８】
また、フック部１３は、上環状部１１の内側を挿通して下環状部１２へ向けて屈曲した形状に形成されている。これにより、例えば、フック部１３に横方向の力Ｆ１が加えられても、フック部１３のフッキング方向Ｄ１と前記力Ｆ１の方向とが異なるため、フック部１３が容易に外れることを防止できる。また、前記フッキング方向Ｄ１は、ルアーフィッシング中にライン１１５とルアー１１０との間に荷重がかかったときの荷重の方向と一致する。そのため、ルアーフィッシング中においてフック部１３が確実に且つ強固に被係合部２２に係合される。
【００４９】
また、上環状部１１は、ライン１１５が止着される止着部２１からフック部１３が係合される被係合部２２に至る辺部５２と、被係合部２２から延出して上環状部１１と下環状部１２とを仕切り分ける辺部５１とを有しており、辺部５２と辺部５１とのなす屈曲角θ１が鋭角である。そのため、ルアーフィッシング中において、フック部１３による係合位置が被係合部２２からずれることを防止できる。
【００５０】
なお、上述の実施形態では、本発明の特定部位の一例として、第２湾曲部５４Ｂを例示したが、本発明はこの構成に限られない。例えば、本発明の実施形態に係るスナップ１０の変形例として、以下に説明するように、図６に示すように構成されたスナップ１０Ａ〜１０Ｅが考えられる。なお、図６において、上述のスナップ１０と共通する構成については同一の符号を付し示すことにより、スナップ１０Ａ〜１０Ｅにおける共通の構成の説明を省略する。また、以下の説明では、上述のスナップ１０との相違点のみ説明する。
【００５１】
図６（Ａ）に示すように、スナップ１０Ａは、下環状部１２の全体が基準点Ｏを中心とする半径Ｒ１の円Ｃ１（図３参照）の円弧に沿った形状に形成されている。この構成では、下環状部１２は、半径Ｒ１の円Ｃ１の半円よりも大きい円弧形状であるため、図６（Ａ）に示すように、下環状部１２の屈曲部３５Ａ側の部位（図６（Ａ）の破線囲み部分参照）が外側へ膨出している。
【００５２】
図６（Ｂ）に示すように、スナップ１０Ｂのフック部１３は、上環状部１１の内側に形成される開口部を挿通された場合に、その先端が被係合部２２よりも外側（図１において左側）へ向かうように屈曲した形状に形成されている（図６（Ｂ）の破線囲み部分参照）。このような構成であっても、第２湾曲部５４Ｂとラインアイレット１１１とが抉ることなく、第２湾曲部５４Ｂがラインアイレット１１１の内孔をスムーズに移動するため、スナップ１０Ｂにおいてフック部１３を内側へ押す力が生じず、フック部１３の係合が容易に外れることを防止できる。
【００５３】
図６（Ｃ）に示すように、スナップ１０Ｃの辺部５１は、屈曲部３５Ｂまで水平に延出している（図６（Ｃ）の破線囲み部分参照）。これにより、スナップ１０Ｃの下環状部１２は、半径Ｒ１の円Ｃ１の半円の円弧形状となり、また、スナップ１０Ｃの全体形状は、基準点Ｏを通る鉛直線を基準として概ね対称な形状となっている。
【００５４】
図６（Ｄ）に示すように、スナップ１０Ｄの下環状部１２は、第２湾曲部５４Ｂと、直線部５４Ｃ（図６（Ｄ）の破線囲み部分参照）とを有している。具体的には、下環状部１２の湾曲線部５４は、部位５３Ａから真っ直ぐに下方へ延出する直線部５４Ｃと、直線部５４Ｃに連続し、半径Ｒ１の円Ｃ１の曲率で湾曲する第２湾曲部５４Ｂとを有している。
【００５５】
図６（Ｅ）に示すように、スナップ１０Ｄの下環状部１２は、第２湾曲部５４Ｂと、直線部５４Ｄ（図６（Ｅ）の破線囲み部分参照）とを有している。具体的には、下環状部１２の湾曲線部５４は、部位５３Ａから真っ直ぐに下方へ延出する直線部５４Ｅと、直線部５４Ｅに連続し、半径Ｒ１の円Ｃ１の曲率で湾曲する第２湾曲部５４Ｂとを有している。また、辺部５２と辺部５１とのなす屈曲角θ１は、４０°未満の角度であり、例えば、５°＜θ１＜４０°の範囲内で定められた角度である。図６（Ｅ）に示す例では、θ１は、略１０°である。ここで、略１０°は、±５°の許容範囲（許容値）を含むものとする。なお、この場合、傾斜角θ２は、略５０°である。ここで、略５０°は、±５°の許容範囲（許容値）を含むものとする。
【００５６】
このように構成された各変形例であっても、上述した実施形態のスナップ１０が奏する効果と同じ効果を奏することができる。
【００５７】
なお、上述の実施形態では、釣り用仕掛けとしてルアー１１０を例示し、連結環としてルアー１１０のラインアイレット１１１を例示したが、本発明の釣り用スナップは、釣りに用いられる仕掛けであって、釣り用スナップが連結可能な連結環を有するものであれば、如何なる仕掛けにも適用することができる。
【符号の説明】
【００５８】
１０    ：釣り用スナップ
１０Ａ−１０Ｅ：釣り用スナップ
１１    ：上環状部
１２    ：下環状部
１３    ：フック部
２１    ：止着部
２２    ：被係合部
３１    ：線材
３１Ａ  ：部位
３１Ｂ  ：部位
３２    ：端部
３３    ：端部
３５Ａ  ：屈曲部
３５Ｂ  ：屈曲部
３５Ｃ  ：屈曲部
５０    ：部位
５１    ：辺部
５２    ：辺部
５３    ：辺部
５３Ａ  ：部位
５４    ：湾曲線部
５４Ａ  ：第１湾曲部
５４Ｂ  ：第２湾曲部
１００  ：スナップ
１０１  ：上方環状部
１０２  ：下方環状部
１０３  ：フック部
１０４  ：湾曲部
１０５  ：ストレート部
１１０  ：ルアー
１１１  ：ラインアイレット
１１５  ：ライン
【図１】
2020039310.tif 000003
【図２】
2020039310.tif 000004
【図３】
2020039310.tif 000005
【図４】
2020039310.tif 000006
【図５】
2020039310.tif 000007
【図６】
2020039310.tif 000008
【図７】
2020039310.tif 000009